(57)【要約】【課題】高い気密性と施工性及び施工時の自由度を有し、かつ、パネルとの間の隙間をなくすと共に、固定用のねじ部材の頭部の突出をなくしたパネル連結用アングル材を提供すること。【解決手段】例えば直角に交差するパネル１０Ａ，１０Ｂの連結側面に沿ってそれぞれ当接される２つの当接片２，３を例えば直角の角度を有する断面略Ｌ字状に形成し、各当接片の両面に、該当接片に沿ってパッキン４０の配置用又は固定ねじ３０の配置用に共通の凹溝４を少なくとも１つ以上設ける。【選択図】  図３
2008144490.tif 000002
【特許請求の範囲】
【請求項１】
交差するパネル同士あるいはパネルと壁体とを連結するパネル連結用アングル材であって、
連結される両パネルあるいはパネルと壁体の連結側面に沿ってそれぞれ当接される２つの当接片が角度をもって形成され、
上記各当接片の両面には、当接片に沿ってパッキン配置用又はねじ配置用に共通の凹溝が少なくとも１つ以上設けられている、
ことを特徴とするパネル連結用アングル材。
【請求項２】
上記２つの当接片が略直角に形成されている、ことを特徴とする請求項１記載のパネル連結用アングル材。
【請求項３】
アルミニウム合金製の押出形材にて形成される、ことを特徴とする請求項１又は２記載のパネル連結用アングル材。
【発明の詳細な説明】
【技術分野】
【０００１】
この発明は、例えば倉庫、冷蔵庫やクリーンルーム等におけるパネルの連結用アングル材に関するものである。
【背景技術】
【０００２】
一般に、倉庫、冷蔵庫やクリーンルーム等においては、パネル同士が角度を有した状態、特に互いに直角に連結する際には、断面略Ｌ字状のいわゆるアングル材が用いられている。上記アングル材を用いてパネル同士を連結する構造として、互いに直角に配置された各パネルの端面に設けられた狭隘開口状の連結枠材に当接する２つの当接片を有するアングル材を当接し、当接片を貫通するボルトを連結枠材の開口部内に配置された角ナットに螺合して、連結枠材を角ナットとアングル材間に締結して連結する構造が知られている（例えば、特許文献１参照）。
【特許文献１】特開平７−２５７６８７号公報（段落番号００１６、図２）
【発明の開示】
【発明が解決しようとする課題】
【０００３】
ところで、冷蔵庫やクリーンルーム等においては、パネル同士の連結部には気密は必須とされており、そのためには、アングル材の長手方向にパッキンを取り付ける必要がある。
【０００４】
しかし、上記特開平７−２５７６８７号公報に記載のアングル材にそのままパッキンを接着等によって取り付けると、パネルとアングル材の間に隙間が生じて気密が保持できないという問題がある。
【０００５】
また、上記特開平７−２５７６８７号公報に記載のアングル材の当接片にパネルの連結側面を当接してパネル同士を連結することは可能であるが、この場合、ボルトの頭部が当接片に突出した状態で露出することになり、外観の美観が低下するだけでなく、作業者や収納物との接触の虞がある。また、当接片の平坦面にボルトを貫通するためには、ボルトの位置決めが必要となるが、位置決めに手間を要するため、パネルの連結作業の効率が低下するという問題がある。
【０００６】
この発明は、上記事情に鑑みてなされたのもので、高い気密性と施工性及び施工時の自由度を有し、かつ、パネルとの間の隙間をなくすと共に、固定用のねじ部材の頭部の突出をなくしたパネル連結用アングル材を提供することを課題とする。
【課題を解決するための手段】
【０００７】
上記課題を解決するため、この発明のパネル連結用アングル材は、交差するパネル同士あるいはパネルと壁体とを連結するパネル連結用アングル材であって、  連結される両パネルあるいはパネルと壁体の連結側面に沿ってそれぞれ当接される２つの当接片が角度をもって形成され、  上記各当接片の両面には、当接片に沿ってパッキン配置用又はねじ配置用に共通の凹溝が少なくとも１つ以上設けられている、ことを特徴とする（請求項１）。
【０００８】
この発明において、上記２つの当接片は連結される両パネルあるいはパネルと壁体との交差部における連結側面に当接するものであれば、両当接片間の角度は任意であってもよいが、好ましくは２つの当接片が略直角に形成されている方がよい（請求項２）。
【０００９】
また、この発明のアングル材は、アルミニウム合金製の押出形材にて形成する方が好ましい（請求項３）。
【発明の効果】
【００１０】
この発明によれば、上記のように構成されているので、以下のような優れた効果が得られる。
【００１１】
（１）請求項１記載の発明によれば、連結される両パネルあるいはパネルと壁体の連結側面に沿ってそれぞれ当接される２つの当接片の両面には、当接片に沿ってパッキン配置用又はねじ配置用に共通の凹溝が少なくとも１つ以上設けられているので、パネルあるいは壁体に当接する面側に設けられた凹溝にパッキンを配置し、他方の面側の凹溝には、パネルあるいは壁体を固定するねじ部材を貫通した状態でねじ頭部を配置することができる。また、当接片の両面のいずれの面においてもパネルあるいは壁体を当接した状態でパネル同士あるいはパネルと壁体とを連結することができるので、パネル同士あるいはパネルと壁体との連結形態における自由度を高めることができる。したがって、高い気密性と施工性及び施工時の自由度を有し、かつ、パネルあるいは壁体との間の隙間をなくすと共に、固定用のねじ部材の頭部の突出をなくした収まりのよいパネル連結用アングル材を提供することができる。
【００１２】
（２）請求項２記載の発明によれば、２つの当接片を略直角に形成することにより、垂直に連結されるパネル同士あるいはパネルと壁体との連結状態に対応してアングル材の使用形態を選択することができるので、上記（１）に加えて、更に使い勝手を良好にすることができる。
【００１３】
（３）請求項３記載の発明によれば、アングル材をアルミニウム合金製の押出形材にて形成することにより、軽量かつ高強度にすることができる。
【発明を実施するための最良の形態】
【００１４】
以下に、この発明の最良の実施形態を添付図面に基づいて詳細に説明する。
【００１５】
図１は、この発明に係るアングル材の一例を示すもので、（ａ）は内方側の斜視図を示し、（ｂ）は外方側を示す斜視図である。また、図２は、上記アングル材の断面図である。
【００１６】
この発明に係るアングル材１は、図３ないし図６に示すように、例えば垂直状に交差するパネル例えば壁パネル１０Ａと天井パネル１０Ｂ同士を連結するパネル連結用部材として使用される。
【００１７】
上記アングル材１は、連結される壁パネル１０Ａと天井パネル１０Ｂの連結側面に沿ってそれぞれ当接される２つの当接片２，３が角度例えば９０度の角度を有する断面略Ｌ字状に形成されており、各当接片２，３の両面には、当接片２，３に沿ってパッキン配置用又はねじ配置用に共通の凹溝４が少なくとも１つ以上（図面では１つの場合を示す）設けられている。この場合、当接片２，３の内側面においては凹溝４が先端側に設けられ、外側面においては凹溝４が基端側に設けられている。
【００１８】
上記凹溝４は開口部４ａが狭小テーパ状に形成されており、凹溝４の底面４ｂの中央部にはねじ部材である固定ねじ３０の位置決め用のＶ字状細条５が凹溝４に沿って設けられている。また、両当接片２，３の連結部の内面側には傾斜面６が形成されて連結部が肉厚になっている。
【００１９】
上記のように形成されるアングル材１は、アルミニウム合金製の押出形材にて形成されており、軽量かつ高強度が図られている。
【００２０】
上記壁パネル１０Ａと天井パネル１０Ｂは、同様に断熱性を有するパネル体にて形成されている。この場合、上記パネル１０Ａ，１０Ｂは、図３ないし図６に示すように、一対の面材１１の側辺部間に枠材２０を介在し、両面材１１と枠材２０とで形成された空間部内に例えば発泡ポリウレタン等の断熱材からなる心材１２が充填されている。なお、面材１１の端部は、パネル１０Ａ，１０Ｂの側端面に巻き込まれて枠材２０の一部を覆っている。
【００２１】
上記枠材２０は、例えば耐熱性を有する塩化ビニル等の合成樹脂製部材にて形成されている。この枠材２０は、図３ないし図６に示すように、パネル中心部に外方が開口する凹条２２を有し、凹条２２に対してパネル１０Ａ，１０Ｂの表裏面側に一対の中空矩形部２３を有している。
【００２２】
次に、上記アングル材１を用いて壁パネル１０Ａと天井パネル１０Ｂを連結する構造について、図３ないし図６を参照して説明する。
【００２３】
図３及び図４に示すパネル連結構造は、アングル材１の当接片２，３の外側面を壁パネル１０Ａと天井パネル１０Ｂの連結側面に当接して、壁パネル１０Ａと天井パネル１０Ｂを連結した場合である。この場合、両当接片２，３の基端側に設けられた凹溝４内に断面略半円弧状の例えば熱可塑性エラストマ製のパッキン４０が外方に向かって膨隆状に配置すなわち嵌合されており、先端側の凹溝４には、位置決め用のＶ字状細条５の任意の位置に固定ねじ３０が貫通されて、パネル１０Ａ，１０Ｂの面材１１及び心材１２に螺合されている。
【００２４】
上記のようにして壁パネル１０Ａと天井パネル１０Ｂを連結することにより、パッキン４０がパネル１０Ａ，１０Ｂの面材１１に密着してアングル材１とパネル１０Ａ，１０Ｂとの間に隙間をなくすことができるので、パネル１０Ａ，１０Ｂ同士の連結部の気密性の向上が図れる。また、固定ねじ３０の頭部３１は凹溝４内に収まり、当接片２，３の表面に突出することがないので、作業者や収納物が接触する心配がない。更に、固定ねじ３０は位置決め用のＶ字状細条５の任意の位置に貫通することができるので、ねじ固定位置の自由度が得られ、パネル連結の作業効率の向上が図れる。
【００２５】
一方、図５及び図６に示すパネル連結構造は、アングル材１の一方の当接片２の外側面を壁パネル１０Ａに当接し、他方の当接片３の内側面を天井パネル１０Ｂの連結側面に当接して、壁パネル１０Ａと天井パネル１０Ｂを連結した場合である。この場合、一方の当接片２の基端側に設けられた凹溝４内に上記パッキン４０が外方に向かって膨隆状に配置すなわち嵌合されており、先端側の凹溝４には、位置決め用のＶ字状細条５の任意の位置に固定ねじ３０が貫通されて、パネル１０Ａ，１０Ｂの面材１１及び心材１２に螺合されている。また、他方の当接片３の先端側に設けられた凹溝４内に上記パッキン４０が外方に向かって膨隆状に配置すなわち嵌合されており、基端側の凹溝４には、位置決め用のＶ字状細条５の任意の位置に固定ねじ３０が貫通されて、パネル１０Ａ，１０Ｂの面材１１及び心材１２に螺合されている。
【００２６】
上記のようにして壁パネル１０Ａと天井パネル１０Ｂを連結することにより、一方の当接片２を壁パネル１０Ａと天井パネル１０Ｂの接合部に納めることができる。したがって、外部には他方の当接片３のみが露出するので、美観の向上が図れる。また、図５及び図６に示すパネル連結構造によれば、図３及び図４に示したパネル連結構造と同様の効果が得られる。すなわち、パネル１０Ａ，１０Ｂ同士の連結部の気密性の向上が図れ、また、固定ねじ３０の頭部３１は凹溝４内に収まり、当接片２，３の表面に突出することがないので、作業者や収納物が接触する心配がない上、固定ねじ３０の固定位置の自由度が得られ、パネル連結の作業効率の向上が図れる。
【００２７】
なお、上記実施形態では、壁パネル１０Ａと天井パネル１０Ｂの連結にこの発明に係るアングル材１を使用した場合について説明したが、壁パネル同士や壁パネルと床パネルの連結にも同様にアングル材１を使用することができる。
【００２８】
また、上記実施形態では、アングル材１の両当接片２，３の角度が直角（９０度）の場合について説明したが、両当接片２，３の角度が９０度以上であれば任意の角度であってもよい。
【００２９】
また、上記実施形態では、当接片２，３に設けられるパッキン配置用又はねじ配置用に共通の凹溝４が１つの場合について説明したが、当接片２，３の片面すなわち内側面又は外側面に凹溝４を２つ以上設けてもよい。このように形成することにより、例えば複数の凹溝４にパッキン４０を配置して二重シール構造とすることができ、更に気密性の向上が図れる。
【００３０】
なお、上記実施形態で示されているパネル１０Ａ，１０Ｂは、一対の面材１１の側辺部間に枠材２０を介在させて、その空間内に断熱性心材１２を充填させた断熱パネルであるが、連結の対象となるパネルは必ずしもそれに限定されることはなく、例えば全体が合成樹脂等で均質に形成された建築用壁パネルあるいは天井パネルであってもよい。
【００３１】
また、上記実施形態では、連結の対象が壁パネル１０Ａ，１０Ｂと天井パネル１０Ｂである場合について説明したが、この発明に係るアングル材を用いる連結形態は、これに限定されるものではなく、一方が天井パネルで他方が既設建築物の壁体の連結であってもよい。
【図面の簡単な説明】
【００３２】
【図１】この発明に係るアングル材の一例を示す斜視図で、（ａ）は内方側の斜視図、（ｂ）は外方側の斜視図である。
【図２】上記アングル材の断面図である。
【図３】上記アングル材を用いたパネル連結構造の第１実施形態を示す断面図である。
【図４】第１実施形態のパネル連結構造の断面斜視図である。
【図５】上記アングル材を用いたパネル連結構造の第２実施形態を示す断面図である。
【図６】第２実施形態のパネル連結構造の断面斜視図である。
【符号の説明】
【００３３】
１  アングル材
２  一方の当接片
３  他方の当接片
４  凹溝
１０Ａ  壁パネル
１０Ｂ  天井パネル
３０  固定ねじ（ねじ部材）
３１  ねじ頭部
４０  パッキン
【図１】
2008144490.tif 000003
【図２】
2008144490.tif 000004
【図３】
2008144490.tif 000005
【図４】
2008144490.tif 000006
【図５】
2008144490.tif 000007
【図６】
2008144490.tif 000008